(57)【特許請求の範囲】
【請求項１】
回転可能に連結されることで、湾曲するケーブルを保持する複数の保持具と、
前記複数の保持具に亘って延び、該複数の保持具の内側に湾曲可能に配置されたシールド材と、を備え、
前記シールド材は、前記ケーブルを囲うように屈曲するとともに、前記複数の保持具が連結される方向である連結方向に延びるように屈曲し、
前記シールド材は、前記連結方向に延びる帯状の中央部分と、該中央部分から前記連結方向に交差する幅方向の両側に突出する突出部分と、前記中央部分及び両側の前記突出部分に亘って形成された開口部と、を含み、
前記両側の突出部分は、前記中央部分側の端部に位置する第１の屈曲部において互いに対向するように屈曲する、
ことを特徴とするケーブルガイド。
【請求項２】
前記両側の突出部分は、前記開口部の前記幅方向の両端に位置する第２の屈曲部において互いに接近するように屈曲することを特徴とする請求項１記載のケーブルガイド。
【請求項３】
前記両側の突出部分は、前記複数の保持具が連結される間隔で設けられていることを特徴とする請求項１又は請求項２記載のケーブルガイド。
【請求項４】
回転可能に連結されることで、湾曲するケーブルを保持する複数の保持具と、
前記複数の保持具に亘って延び、該複数の保持具の内側に湾曲可能に配置されたシールド材と、を備え、
前記シールド材は、前記ケーブルを囲うように屈曲するとともに、前記複数の保持具が連結される方向である連結方向に延びるように屈曲し、
前記シールド材は、複数屈曲して前記ケーブルを囲う囲繞部分と、隣接する２つの前記囲繞部分を連結する連結部分と、が交互に連続して形成されている、
ことを特徴とするケーブルガイド。
【請求項５】
前記囲繞部分は、前記ケーブルが前記連結方向に交差する方向に挿入される挿入口を有することを特徴とする請求項４記載のケーブルガイド。
【請求項６】
回転可能に連結されることで、湾曲するケーブルを保持する複数の保持具と、
前記複数の保持具に亘って延び、該複数の保持具の内側に湾曲可能に配置されたシールド材と、を備え、
前記シールド材は、前記ケーブルを囲うように屈曲するとともに、前記複数の保持具が連結される方向である連結方向に延びるように屈曲し、
前記シールド材は、前記連結方向に延びる第１の面と、前記連結方向に交差する第２の面とが交互に連続して形成され、
前記第２の面には、前記ケーブルを貫通させるケーブル貫通孔が形成されている、
ことを特徴とするケーブルガイド。
【請求項７】
前記シールド材は、シート状を呈することを特徴とする請求項１から請求項３、及び請求項６のいずれか１項記載のケーブルガイド。
【請求項８】
前記シールド材は、線状を呈することを特徴とする請求項１、請求項４、又は請求項５記載のケーブルガイド。
【請求項９】
回転可能に連結されることで湾曲するケーブルを保持する複数の保持具に亘って延び、該複数の保持具の内側に湾曲可能に配置され、
前記ケーブルを囲うように屈曲するとともに、前記複数の保持具が連結される方向である連結方向に延びるように屈曲し、
前記連結方向に延びる帯状の中央部分と、該中央部分から前記連結方向に交差する幅方向の両側に突出する突出部分と、前記中央部分及び両側の前記突出部分に亘って形成された開口部と、を含み、
前記両側の突出部分は、前記中央部分側の端部に位置する第１の屈曲部において互いに対向するように屈曲する、
ことを特徴とするシールド材。
【請求項１０】
回転可能に連結されることで湾曲するケーブルを保持する複数の保持具に亘って延び、該複数の保持具の内側に湾曲可能に配置され、
前記ケーブルを囲うように屈曲するとともに、前記複数の保持具が連結される方向である連結方向に延びるように屈曲し、
複数屈曲して前記ケーブルを囲う囲繞部分と、隣接する２つの前記囲繞部分を連結する連結部分と、が交互に連続して形成されている、
ことを特徴とするシールド材。
【請求項１１】
回転可能に連結されることで湾曲するケーブルを保持する複数の保持具に亘って延び、該複数の保持具の内側に湾曲可能に配置され、
前記ケーブルを囲うように屈曲するとともに、前記複数の保持具が連結される方向である連結方向に延びるように屈曲し、
前記連結方向に延びる第１の面と、前記連結方向に交差する第２の面とが交互に連続して形成され、
前記第２の面には、前記ケーブルを貫通させるケーブル貫通孔が形成されている、
ことを特徴とするシールド材。
【発明の詳細な説明】
【技術分野】
【０００１】
本発明は、ケーブルをガイドするケーブルガイドと、ケーブルガイドに用いられるシールド材とに関する。
【背景技術】
【０００２】
従来、現金自動預け払い機（ＡＴＭ：Automatic Teller Machine）などの自動取引装置のユニット引き出し構造では、ユニット収納時は、装置の筐体に設けたバネ等による接触構造にてユニットのＦＧ（Frame Ground：フレームグランド）を強化している。これにより、ユニットへの静電気や放射電波の影響を軽減している。しかしながら、ユニットのメンテナンスなどのために、ユニットを大きく引き出す構造を使用する場合、筐体とユニットが離れてしまうため、静電気等の影響を受けやすく、電磁シールド性への対策が必要となっている。
【０００３】
そのため、ケーブル（通線ケーブル）のシールド化や、筐体とユニットとを接続するＦＧケーブルの追加や、ノイズ対策のフィルター部品の追加などが実施されている（例えば、特許文献１又は２参照）。
【０００４】
また、ケーブルを保持する複数の保持具の内部に導電性材料からなる薄板を挿入し、この薄板をケーブルガイドの湾曲に合わせて湾曲させる技術も知られている（例えば、特許文献３参照）。
【先行技術文献】
【特許文献】
【０００５】
【特許文献１】特開２００６−１３５１７３号公報
【特許文献２】特開２００３−１２３５５４号公報
【特許文献３】特開２００３−２４４８３１号公報
【発明の概要】
【発明が解決しようとする課題】
【０００６】
しかしながら、ケーブルのシールド化や、筐体とユニットとを接続するＦＧケーブルの追加や、ノイズ対策のフィルター部品の追加などの電磁シールド性への対策は、ケーブルの径やケーブルの本数の増加を招く。
【０００７】
また、上記のように複数の保持具の内部に導電性の薄板を挿入するだけでは、ケーブルに対して電磁シールド性を発揮するができない。
【０００８】
本発明は、このような点に鑑みてなされたものであり、簡素な構成で電磁シールド性を発揮することができるケーブルガイド、及びシールド材を提供することを目的とする。
【課題を解決するための手段】
【０００９】
開示のケーブルガイドは、回転可能に連結されることで、湾曲するケーブルを保持する複数の保持具と、前記複数の保持具に亘って延び、該複数の保持具の内側に湾曲可能に配置されたシールド材と、を備え、前記シールド材は、前記ケーブルを囲うように屈曲するとともに、前記複数の保持具が連結される方向である連結方向に延びるように屈曲する。
【００１０】
開示のシールド材は、回転可能に連結されることで湾曲するケーブルを保持する複数の保持具に亘って延び、該複数の保持具の内側に湾曲可能に配置され、前記ケーブルを囲うように屈曲するとともに、前記複数の保持具が連結される方向である連結方向に延びるように屈曲する。
【発明の効果】
【００１１】
開示のケーブルガイド及びシールド材によれば、簡素な構成で電磁シールド性を発揮することができる。
【図面の簡単な説明】
【００１２】
【図１Ａ】第１実施形態に係るケーブルガイドを示す斜視図である。
【図１Ｂ】第１実施形態に係るケーブルガイドを示す平面図である。
【図１Ｃ】第１実施形態に係るケーブルガイドを示す正面図である。
【図２】図１ＡのＡ部拡大図である。
【図３】図２のIII−III断面図である。
【図４Ａ】第１実施形態に係るシールド材を示す斜視図である。
【図４Ｂ】第１実施形態に係るシールド材を示す平面図である。
【図４Ｃ】第１実施形態に係るシールド材を示す正面図である。
【図５】第１実施形態に係るシールド材を示す展開図である。
【図６】図４ＡのＢ部拡大図である。
【図７】図４ＡのＣ部拡大図である。
【図８Ａ】第２実施形態に係るシールド材を示す斜視図である。
【図８Ｂ】第２実施形態に係るシールド材を示す平面図である。
【図８Ｃ】第２実施形態に係るシールド材を示す正面図である。
【図８Ｄ】第２実施形態に係るシールド材を示す左側面図である。
【図９】図８ＡのＥ部拡大図である。
【図１０Ａ】第３実施形態に係るシールド材を示す斜視図である。
【図１０Ｂ】第３実施形態に係るシールド材を示す平面図である。
【発明を実施するための形態】
【００１３】
以下、実施の形態に係る、ケーブルガイド１０及びシールド材１２，２２，３２について、図面を参照しながら説明する。
【００１４】
＜第１実施形態＞
図１Ａは、第１実施形態に係るケーブルガイド１０を示す斜視図である。図１Ｂは、ケーブルガイド１０を示す平面図である。図１Ｃは、ケーブルガイド１０を示す正面図である。
【００１５】
図２は、図１ＡのＡ部拡大図である。図３は、図２のIII−III断面図である。
図４Ａは、本実施形態に係るシールド材１２を示す斜視図である。図４Ｂは、シールド材１２を示す平面図である。図４Ｃは、シールド材１２を示す正面図である。
【００１６】
図５は、シールド材１２を示す展開図である。
図６は、図４ＡのＢ部拡大図である。図７は、図４ＡのＣ部拡大図である。
【００１７】
図１Ａ、図１Ｂ、及び図１Ｃに示すケーブルガイド１０は、複数の保持具１１と、シールド材１２と、を備える。
【００１８】
詳しくは後述するが、複数の保持具１１は、回転可能に連結されることで、湾曲するケーブル１００を保持する。例えば、保持具１１は、四角筒状を呈する。保持具１１は、ケーブル１００を挿入可能なように開放可能であるとよい。
【００１９】
例えば、ケーブル１００は、現金自動預け払い機などの自動取引装置の筐体と筐体から引き出されるユニットとの間に配置される。しかしながら、ケーブルガイド１０は、自動取引装置以外の用途や、筐体と筐体から引き出されるユニットとの間以外の配置場所においても、当然に使用可能である。
【００２０】
図２及び図３に示すように、保持具１１は、回転軸部１１ａと、回転軸挿入孔１１ｂと、を含む。例えば、保持具１１は、プラスチックなどの非導電性材料から形成されるが、導電性材料から形成されるようにしてもよい。
【００２１】
回転軸部１１ａは、保持具１１の連結方向（矢印Ｄ）における一端側において、上下に計２つ設けられている。保持具１１の上部に設けられた回転軸部１１ａは、上方に突出する。保持具１１の下部に設けられた回転軸部１１ａは、下方に突出する。
【００２２】
回転軸挿入孔１１ｂは、保持具１１の連結方向（矢印Ｄ）における他端側において、上下に計２つ設けられている。
【００２３】
図２に示すように、回転軸部１１ａが回転軸挿入孔１１ｂに対し回転可能（矢印Ｒ）に挿入されることで、複数の保持具１１は、互いに回転可能に一直線状に連結されている。これにより、複数の保持具１１は、湾曲するケーブル１００に沿って湾曲可能となっている。
【００２４】
図４Ａ、図４Ｂ、及び図４Ｃに示すシールド材１２は、複数の保持具１１に亘って延び、複数の保持具１１の内側に湾曲可能に配置される。なお、シールド材１２は、１つのみ配置されるが、複数の保持具１１に亘って延びるシールド材１２が複数分離して配置されていてもよい。
【００２５】
図５、図６、及び図７に示すように、シールド材１２は、中央部分１２ａと、突出部分１２ｂと、開口部１２ｃと、を含む。例えば、シールド材１２は、金属材料などの電磁シールド性を発揮する材料から形成される。シールド材１２は、シート状を呈する。シールド材１２は、保持具１１の内周面に沿うことが望ましい。シールド材１２は、保持具１１が連結される数（長さ）に合わせて切り出すことで必要な長さだけ使用するとよい。シールド材１２は、他の部材に取り付けられていてもよい。
【００２６】
図５に示すように、中央部分１２ａは、連結方向（矢印Ｄ）に延び、帯状を呈する。
突出部分１２ｂは、中央部分１２ａからシールド材１２の幅方向（連結方向Ｄに交差する方向）の両側に突出する。例えば、突出部分１２ｂは、四角形状を呈する。両側の突出部分１２ｂは、複数の保持具１１が連結される間隔で設けられるとよい。
【００２７】
開口部１２ｃは、中央部分１２ａ及び両側の突出部分１２ｂに亘って形成されている。
両側の突出部分１２ｂは、中央部分１２ａ側の端部に位置する第１の屈曲部Ｆ１１において互いに対向するように屈曲する。例えば、本実施形態及び後述する第２及び第３実施形態において、屈曲角度は９０度である。しかし、屈曲角度が９０度以外の角度であってもよいし、屈曲部分が丸みを帯びていてもよい。
【００２８】
第１の屈曲部Ｆ１１は、突出部分１２ｂのうち中央部分１２ａとの境界部分であることが望ましい。しかし、第１の屈曲部Ｆ１１が位置する部分である、突出部分１２ｂの中央部分１２ａ側の端部には、中央部分１２ａから少し間隔（例えば、シールド材１２の幅方向における突出部分１２ｂの一部（例えば、突出部分１２ｂの長さの１０分の１以下））をおいた部分も含まれることとする。
【００２９】
また、両側の突出部分１２ｂは、開口部１２ｃにおけるシールド材１２の幅方向の両端に位置する第２の屈曲部Ｆ１２において互いに接近するように屈曲する。この第２の屈曲部Ｆ１２は、開口部１２ｃにおけるシールド材１２の幅方向の両端に位置することが望ましいが、開口部１２ｃ内に位置してもよいし、開口部１２ｃから少し間隔をおいた部分に位置していてもよい。
【００３０】
以上の構造によって、シールド材１２は、ケーブル１００を囲うように屈曲するとともに、複数の保持具１１が連結される方向である連結方向（矢印Ｄ）に延びるように屈曲する。また、シールド材１２は、開口部１２ｃが連結方向（矢印Ｄ）に開く方向（図７参照）にも閉じる方向にも湾曲する。そのため、シールド材１２は、保持具１１と同様に、ケーブル１００とともに湾曲することができる。なお、シールド材１２がケーブル１００を囲うのは、ケーブル１００の周囲の１８０°以上であり、３６０°に近づくほど望ましい。
【００３１】
なお、開口部１２ｃは、例えば、隣接する保持具１１の間に位置する。また、シールド材１２の中央部分１２ａには、突出部分１２ｂの近傍に取付け孔１２ａ−１が形成されている。この取付け孔１２ａ−１において、シールド材１２は、ケーブル１００が設けられた装置のフレーム、或いは保持具１１に固定されるとよい。
【００３２】
以上説明した第１実施形態では、複数の保持具１１は、回転可能に連結されることで、湾曲するケーブル１００を保持する。シールド材１２は、複数の保持具１１に亘って延び、複数の保持具１１の内側に湾曲可能に配置されている。また、シールド材１２は、ケーブル１００を囲うように屈曲するとともに、複数の保持具１１が連結される方向である連結方向（矢印Ｄ）に延びるように屈曲する。
【００３３】
そのため、ケーブル１００自体のシールド化や、ＦＧケーブルの追加や、ノイズ対策のフィルター部品の追加などを省略した場合であっても、電磁シールド性を発揮することができる。
【００３４】
よって、本実施形態のケーブルガイド１０及びシールド材１２によれば、簡素な構成で電磁シールド性を発揮することができる。更には、シールド材１２を保持具１１に対して着脱自在とすることで、求められる電磁シールド性やケーブルガイド１０の構造に応じてシールド材１２を追加することもできる。また、シールド材１２が屈曲することで、シールド材１２が薄板である場合と比較して、繰り返しの湾曲に対する耐久性を向上させることもできる。
【００３５】
また、本実施形態では、シールド材１２は、保持具１１の連結方向（矢印Ｄ）に延びる帯状の中央部分１２ａと、この中央部分１２ａから、連結方向（矢印Ｄ）に交差する幅方向の両側に突出する突出部分１２ｂと、中央部分１２ａ及び両側の突出部分１２ｂに亘って形成された開口部１２ｃと、を含む。また、両側の突出部分１２ｂは、中央部分１２ａ側の端部に位置する第１の屈曲部Ｆ１１において互いに対向するように屈曲する。そのため、簡素な構成で、シールド材１２が湾曲し且つ電磁シールド性を発揮することができる。また、ケーブル１００を連結方向（矢印Ｄ）に交差する方向からシールド材１２内に挿入することができる。
【００３６】
更には、本実施形態では、両側の突出部分１２ｂは、開口部１２ｃにおけるシールド材１２の幅方向の両端に位置する第２の屈曲部Ｆ１２において互いに接近するように屈曲する。そのため、シールド材１２は、第１の屈曲部Ｆ１１のみを設ける場合よりもケーブル１００を囲んだ状態となり、電磁シールド性を更に発揮することができる。
【００３７】
また、本実施形態では、両側の突出部分１２ｂは、複数の保持具１１が連結される間隔で設けられている。そのため、保持具１１と同様に湾曲することができる。
【００３８】
また、本実施形態では、シールド材１２は、シート状を呈する。そのため、簡素な構成で電磁シールド性を発揮することができる。また、シールド材１２を１枚のシート状で製造可能であるため、容易に製造でき、製造コストを安く抑えることができる。更に、シールド材１２を保持具１１と別パーツにすることで、既存の保持具１１にも容易に着脱が可能となり、使用用途の範囲が広がる。
【００３９】
＜第２実施形態＞
図８Ａは、第２実施形態に係るシールド材２２を示す斜視図である。図８Ｂは、シールド材２２を示す平面図である。図８Ｃは、シールド材２２を示す正面図である。図８Ｄは、シールド材２２を示す左側面図である。
図９は、図８ＡのＥ部拡大図である。
【００４０】
本実施形態では、保持具１１については第１実施形態と同様にすることができるため、シールド材２２のみについて説明する。また、シールド材２２については、第１実施形態のシールド材１２と同様である事項については説明を省略する。
【００４１】
シールド材２２は、囲繞部分２２ａと連結部分２２ｂとが交互に連続して形成されている。本実施形態のシールド材２２は、線状を呈する。シールド材２２は、図１Ａ〜図３に示す保持具１１の内周面に沿うことが望ましい。
【００４２】
図８Ｄ及び図９に示すように、囲繞部分２２ａは、複数屈曲してケーブルを囲う。例えば、囲繞部分２２ａは、囲繞部内屈曲部Ｆ２２，Ｆ２３，Ｆ２４，Ｆ２５において同一平面上で屈曲することで、略四角形状を呈する。また、囲繞部分２２ａには、図１Ａ〜図３に示すケーブル１００が保持具１１の連結方向（矢印Ｄ）に交差する方向（図８Ｄ及び図９における上下方向）に挿入される挿入口２２ａ−１が形成されている。例えば、挿入口２２ａ−１は、囲繞部分２２ａの上面に形成されている。
【００４３】
連結部分２２ｂは、隣接する２つの囲繞部分２２ａを連結する。連結部分２２ｂは、一方の囲繞部分２２ａから屈曲（連結部屈曲部Ｆ２１）して連結方向（矢印Ｄ）に延び、他方の囲繞部分２２ａに向けて屈曲（連結部屈曲部Ｆ２６）する。
【００４４】
以上の構造によって、シールド材２２は、ケーブル１００を囲うように屈曲するとともに、複数の保持具１１が連結される方向である連結方向（矢印Ｄ）に延びるように屈曲する。よって、第２実施形態によっても、第１実施形態と同様に、簡素な構成で電磁シールド性を発揮することができる。
【００４５】
また、本実施形態では、シールド材２２は、複数屈曲（囲繞部内屈曲部Ｆ２２，Ｆ２３，Ｆ２４，Ｆ２５）してケーブル１００を囲う囲繞部分２２ａと、隣接する２つの囲繞部分２２ａを連結する連結部分２２ｂと、が交互に連続して形成されている。そのため、簡素な構成で、シールド材２２が湾曲し且つ電磁シールド性を発揮することができる。
【００４６】
また、本実施形態では、囲繞部分２２ａは、ケーブル１００が連結方向（矢印Ｄ）に交差する方向に挿入される挿入口２２ａ−１を有する。そのため、簡素な構成で、ケーブル１００をシールド材２２内に挿入することができる。
【００４７】
また、本実施形態では、シールド材２２は、線状を呈する。そのため、シールド材２２を屈曲させるのを容易にすることができる。また、シールド材２２を１枚の線状で製造可能であるため、容易に製造でき、製造コストを安く抑えることができる。更に、シールド材２２を保持具１１と別パーツにすることで、既存の保持具１１にも容易に着脱が可能となり、使用用途の範囲が広がる。
【００４８】
＜第３実施形態＞
図１０Ａは、第３実施形態に係るシールド材３２を示す斜視図である。図１０Ｂは、シールド材３２を示す平面図である。
【００４９】
本実施形態では、保持具１１については第１実施形態と同様にすることができるため、シールド材３２のみについて説明する。また、シールド材３２については、第１実施形態のシールド材１２と同様である事項については説明を省略する。
【００５０】
シールド材３２は、図１Ａ〜図３に示す保持具１１の連結方向（矢印Ｄ）に延びる第１の面３２ａと、連結方向（矢印Ｄ）に交差する第２の面３２ｂとが交互に連続して形成されている。本実施形態のシールド材３２は、シート状を呈する。シールド材３２は、図１Ａ〜図３に示す保持具１１の内周面に沿うことが望ましい。
【００５１】
第２の面３２ｂには、図１Ａ〜図３に示すケーブル１００を貫通させるケーブル貫通孔３２ｂ−１が形成されている。
【００５２】
第１の面３２ａから第２の面３２ｂに向けて屈曲する屈曲部Ｆ３１は、直角をなすとよい。また、第２の面３２ｂから第１の面３２ａに向けて屈曲する屈曲部Ｆ３２も、直角をなすとよい。
【００５３】
例えば、第１の面３２ａ及び第２の面３２ｂは、四角形状を呈する。また、例えば、ケーブル貫通孔３２ｂ−１も、四角形状を呈する。
【００５４】
以上の構造によって、シールド材３２は、ケーブル１００を囲うように屈曲するとともに、複数の保持具１１が連結される方向である連結方向（矢印Ｄ）に延びるように屈曲する。よって、第３実施形態によっても、第１実施形態と同様に、簡素な構成で電磁シールド性を発揮することができる。
【００５５】
また、本実施形態では、シールド材３２は、連結方向（矢印Ｄ）に延びる第１の面３２ａと、連結方向（矢印Ｄ）に交差する第２の面３２ｂとが交互に連続して形成されている。第２の面３２ｂには、ケーブル１００を貫通させるケーブル貫通孔３２ｂ−１が形成されている。そのため、簡素な構成で、シールド材３２が湾曲し且つ電磁シールド性を発揮することができる。
【００５６】
また、本実施形態では、シールド材３２は、シート状を呈する。そのため、簡素な構成で電磁シールド性を発揮することができる。また、シールド材３２を１枚のシート状で製造可能であるため、容易に製造でき、製造コストを安く抑えることができる。更に、シールド材３２を保持具１１と別パーツにすることで、既存の保持具１１にも容易に着脱が可能となり、使用用途の範囲が広がる。
【００５７】
なお、上述の第１〜第３実施形態におけるシールド材１２，２２，３２の形状はあくまで一例であって、シールド材としては、ケーブル１００を囲うように屈曲するとともに、複数の保持具１１が連結される方向である連結方向（矢印Ｄ）に延びるように屈曲するものであればよい。
【符号の説明】
【００５８】
１０      ケーブルガイド
１１      保持具
１１ａ      回転軸部
１１ｂ      回転軸挿入孔
１２      シールド材
１２ａ      中央部分
１２ａ−１      取付け孔
１２ｂ      突出部分
１２ｃ      開口部
２２      シールド材
２２ａ      囲繞部分
２２ａ−１      挿入口
２２ｂ      連結部分
３２      シールド材
３２ａ      第１の面
３２ｂ      第２の面
３２ｂ−１      ケーブル貫通孔
１００      ケーブル
Ｆ１１      第１の屈曲部
Ｆ１２      第２の屈曲部
Ｆ２１      連結部屈曲部
Ｆ２２      囲繞部内屈曲部
Ｆ２３      囲繞部内屈曲部
Ｆ２４      囲繞部内屈曲部
Ｆ２５      囲繞部内屈曲部
Ｆ２６      連結部屈曲部
Ｆ３１      屈曲部
Ｆ３２      屈曲部
【図１Ａ】
0005903077.tif 000002
【図１Ｂ】
0005903077.tif 000003
【図１Ｃ】
0005903077.tif 000004
【図２】
0005903077.tif 000005
【図３】
0005903077.tif 000006
【図４Ａ】
0005903077.tif 000007
【図４Ｂ】
0005903077.tif 000008
【図４Ｃ】
0005903077.tif 000009
【図５】
0005903077.tif 000010
【図６】
0005903077.tif 000011
【図７】
0005903077.tif 000012
【図８Ａ】
0005903077.tif 000013
【図８Ｂ】
0005903077.tif 000014
【図８Ｃ】
0005903077.tif 000015
【図８Ｄ】
0005903077.tif 000016
【図９】
0005903077.tif 000017
【図１０Ａ】
0005903077.tif 000018
【図１０Ｂ】
0005903077.tif 000019